(57)【特許請求の範囲】
【請求項１】
マシン・タイプ通信に基づく通信システムのサーバの地理的位置情報に基づくサービスにアクセスするための方法であって、
Ａ．コンテンツ要求メッセージを前記サーバから少なくとも１つのユーザ装置に、ブロードキャストまたはマルチキャストするステップであって、前記コンテンツ要求メッセージは、要求されたコンテンツについての情報およびターゲットの地理的位置についての情報を含むステップと、
Ｂ．前記少なくとも１つのユーザ装置から応答メッセージを受信するステップであって、前記応答メッセージは、前記少なくとも１つのユーザ装置が前記要求されたコンテンツを所有することを示し、前記少なくとも１つのユーザ装置は、前記ターゲットの地理的位置内にあるステップと、
Ｃ．前記少なくとも１つのユーザ装置から前記要求されたコンテンツを取得するステップと
を含む方法。
【請求項２】
ステップＣの前に、前記方法は、
事前に定めた規則に基づいて、少なくとも１つのユーザ装置から少なくとも１つのユーザ装置を選択するステップ
をさらに含み、
ステップＣは、
前記選択された少なくとも１つのユーザ装置から前記要求されたコンテンツを取得するステップ
をさらに含む、請求項１に記載の方法。
【請求項３】
ステップＣの後に、前記方法は、
前記少なくとも１つのユーザ装置から通知メッセージを受信するステップであって、前記通知メッセージは、前記少なくとも１つのユーザ装置が前記ターゲットの地理的位置から移動したことを前記サーバに通知するステップと、
ステップＡ、Ｂ、およびＣを繰り返すステップと
をさらに含む、請求項１に記載の方法。
【請求項４】
ステップＣは、
前記少なくとも１つのユーザ装置との接続を確立することによって、前記要求されたコンテンツを取得するステップ
を含み、
ステップＣの後に、前記方法は、
前記少なくとも１つのユーザ装置との接続を解放するステップ
をさらに含む、請求項３に記載の方法。
【請求項５】
ステップＡの前に、前記方法は、
ネットワーク・デバイスから前記コンテンツ要求メッセージを受信するステップであって、前記コンテンツ要求メッセージは、前記ターゲットの地理的位置についての情報および前記要求されたコンテンツについての情報を含むステップ
をさらに含み、
ステップＣの後に、前記方法は、
前記取得したコンテンツを前記ネットワーク・デバイスに送信するステップ
をさらに含む、請求項１に記載の方法。
【請求項６】
マシン・タイプ通信に基づく通信システムのユーザ装置において地理的位置情報に基づくサービスにアクセスするための方法であって、
Ｉ．サーバからコンテンツ要求メッセージを前記ユーザ装置が受信するステップであって、前記コンテンツ要求メッセージは、要求されたコンテンツについての情報およびターゲットの地理的位置についての情報を含むステップと、
ＩＩ．前記ユーザ装置が前記ターゲットの地理的位置内に位置するかどうかを決定し、前記ユーザ装置が前記要求されたコンテンツを所有するかどうかを決定するステップと、
ＩＩＩ．前記ユーザ装置が前記ターゲットの地理的位置内に位置し、前記要求されたコンテンツを所有する場合、応答メッセージを前記サーバに送信するステップであって、前記応答メッセージは、前記ユーザ装置が前記ターゲットの地理的位置内に位置し、かつ前記ユーザ装置が前記サーバによって要求されたコンテンツを所有することを示す情報を含むステップと
を含む方法。
【請求項７】
前記応答メッセージは、前記ユーザ装置が位置する前記地理的位置のＧＰＳ座標を示す情報をさらに含む、請求項６に記載の方法。
【請求項８】
ステップＩＩＩの後に、前記方法は、
ＩＶ．前記サーバによって要求されたコンテンツを前記サーバに伝送するステップ
をさらに含む、請求項６に記載の方法。
【請求項９】
前記ステップＩＶは、
前記サーバとの接続を確立することによって、前記要求されたコンテンツを前記サーバに伝送するステップ
を含む、請求項８に記載の方法。
【請求項１０】
前記要求されたコンテンツの伝送が終わる前に、前記ユーザ装置が前記ターゲットの地理的位置から移動した場合、通知メッセージを前記サーバに送信するステップであって、前記通知メッセージは、前記ユーザ装置が前記ターゲットの地理的位置から移動したことを前記サーバに通知するステップ
をさらに含む、請求項８に記載の方法。
【請求項１１】
マシン・タイプ通信に基づく通信システムのサーバにおける地理的位置情報に基づくサービスのための第１のアクセス装置であって、
コンテンツ要求メッセージを少なくとも１つのユーザ装置にブロードキャストまたはマルチキャストするためのブロードキャストまたはマルチキャスト・デバイスであって、前記コンテンツ要求メッセージは、要求されたコンテンツについての情報およびターゲットの地理的位置についての情報を含むブロードキャストまたはマルチキャスト・デバイスと、
前記少なくとも１つのユーザ装置から応答メッセージを受信するための第１の受信デバイスであって、前記応答メッセージは、前記少なくとも１つのユーザ装置が前記要求されたコンテンツを所有することを示し、前記少なくとも１つのユーザ装置は、前記ターゲットの地理的位置内にある第１の受信デバイスと、
前記少なくとも１つのユーザ装置から前記要求されたコンテンツを取得するための取得デバイスと
を含む装置。
【請求項１２】
前記第１の受信デバイスは、
前記少なくとも１つのユーザ装置から通知メッセージを受信するように構成され、前記通知メッセージは、前記少なくとも１つのユーザ装置が前記ターゲットの地理的位置から移動したことを前記サーバに通知し、
前記第１のアクセス装置は、
前記受信デバイスが前記通知メッセージを受信した後に、前述のプロセスを繰り返すために、前記ブロードキャストまたはマルチキャスト・デバイス、前記受信デバイス、および前記取得デバイスを制御するための制御デバイス
をさらに含む、請求項１１に記載の第１のアクセス装置。
【請求項１３】
マシン・タイプ通信に基づく通信システムのユーザ装置における地理的位置情報に基づくサービスのための第２のアクセス装置であって、
サーバからコンテンツ要求メッセージを受信するための第２の受信デバイスであって、前記コンテンツ要求メッセージは、要求されたコンテンツについての情報およびターゲットの地理的位置についての情報を含む第２の受信デバイスと、
前記ユーザ装置が前記ターゲットの地理的位置内に位置するかどうかを決定し、前記ユーザ装置が前記要求されたコンテンツを所有するかどうかを決定するための決定デバイスと、
前記ユーザ装置が前記ターゲットの地理的位置内に位置し、前記要求されたコンテンツを所有する場合、前記サーバに応答メッセージを送信するための送信デバイスであって、前記応答メッセージは、前記ユーザ装置が前記ターゲットの地理的位置内に位置し、かつ前記ユーザ装置が前記サーバによって要求されたコンテンツを所有することを示す情報を含む送信デバイスと
を含む装置。
【請求項１４】
前記サーバによって要求されたコンテンツを前記サーバに伝送するための伝送デバイス
をさらに含む、請求項１３に記載の第２のアクセス装置。
【請求項１５】
前記送信デバイスは、
前記要求されたコンテンツの伝送が終わる前に、前記ユーザ装置が前記ターゲットの地理的位置から移動した場合に、通知メッセージを前記サーバに送信するようにさらに構成され、前記通知メッセージは、前記ユーザ装置が前記ターゲットの地理的位置から移動したことを前記サーバに通知する、請求項１４に記載の第２のアクセス装置。
【発明の詳細な説明】
【技術分野】
【０００１】
本開示は、マシン・タイプ通信のためにアクセスする方法および装置に関する。
【背景技術】
【０００２】
マシン・ツー・マシン（Ｍ２Ｍ）は、ある端末から他の端末へのデータの伝送、またはＧＳＭ／ＧＰＲＳ、ＵＭＴＳ／ＨＳＤＰＡおよびＣＤＭＡ／ＥＶＤＯ、または他のモジュールを通じたマシン間のデータの交換を指す。現在、Ｍ２Ｍは、一般的に、セキュリティ監視、自動販売機、公共交通システム、車両の監視および管理、工業プロセスの自動化、モータ装置、都市情報化などの分野で適用されている。
【０００３】
現在、ユーザ装置のチャネル条件情報を決定するために、３ＧＰＰ仕様で位置決め機能が提供されているが、既存の位置決め機能はマシン・タイプ通信に基づく通信システムでは適用することができない。その理由は、地理的位置に基づくサービスの現在の実装は、地理的位置情報を処理する追加的なロケーション・サーバを必要とするからである。したがって、地理的位置情報は、マシン・タイプ通信サーバによって直接使用することができず、セル・レベルの情報である、３ＧＰＰモビリティ制御によって取得される地理的位置情報は、正確さが十分ではない。
【発明の概要】
【発明が解決しようとする課題】
【０００４】
３ＧＰＰ仕様に定義されているシステム最適化のカテゴリの中において、マシン・タイプ通信は、様々なネットワーク・トポロジ環境を広範にサポートするために異種混合での利用を含む。したがって、マシン・タイプ通信に基づく通信システムでは、ユーザ装置は完全に固定されている場合があり、マシン・タイプ通信の移動性管理を最適化するために追加的な信号が必要となる。
【課題を解決するための手段】
【０００５】
マシン・ツー・マシンの用途において、本発明は、地理的位置情報に基づくマシン・タイプ通信識別と呼ぶ新しいシステム最適化カテゴリを定義する。マシン・タイプ通信デバイスは、しばしば地理的に遠く離れた領域に展開されており、それらの地理的位置情報は、たとえば測定データなど、それら自体のコンテンツとともにサーバに報告する必要がある重要なパラメータである。言いかえると、マシン・タイプ通信システムには、コンテンツと地理的位置情報との間に一対一の対応が存在する。マシン・タイプ通信デバイスの識別は、セル・レベルの位置識別ではなく、より正確なレベルでの地理的位置情報に依存している。マシン・タイプ通信デバイスは、その地理的位置情報によって取り扱われ、そのデータ伝送がデバイス自体の名前によって特定されるのではなく、その地理的位置情報によってのみ特定される場合、地理的位置情報に基づくデバイスと見なされる。
【０００６】
本発明による地理的位置情報に基づくマシン・タイプ通信の識別のための技術的な解決法において、サーバは、デバイスの識別名の代わりにその地理的位置情報によってデバイスを取り扱う。デバイスは、その地理的位置情報によって取り扱われ、サーバは、同じ通信ネットワーク内の一意の識別として地理的位置領域情報を定義および認識する。
【０００７】
本発明の一実施形態によると、マシン・タイプ通信に基づく通信システムのサーバの地理的位置情報に基づくサービスにアクセスするための方法が提供される。この方法は、コンテンツ要求メッセージをブロードキャストまたはマルチキャストするステップであって、コンテンツ要求メッセージは、要求されたコンテンツについての情報およびターゲットの地理的位置についての情報を含むステップと、少なくとも１つのユーザ装置から応答メッセージを受信するステップであって、応答メッセージは、少なくとも１つのユーザ装置が要求されたコンテンツを所有することを示し、少なくとも１つのユーザ装置は、ターゲットの地理的位置内にあるステップと、少なくとも１つのユーザ装置から要求されたコンテンツを取得するステップとを含む。
【０００８】
一実施形態では、サーバは、事前に定めた規則に基づいて、少なくとも１つのユーザ装置から少なくとも１つのユーザ装置を選択し、選択された少なくとも１つのユーザ装置から要求されたコンテンツを取得する。
【０００９】
一実施形態では、サーバは、少なくとも１つのユーザ装置との接続を確立することによって、要求されたコンテンツを取得する。
【００１０】
本発明の他の実施形態によると、マシン・タイプ通信に基づく通信システムのユーザ装置において地理的位置情報に基づくサービスにアクセスするための方法が提供される。この方法は、サーバからコンテンツ要求メッセージを受信するステップであって、コンテンツ要求メッセージは、要求されたコンテンツについての情報およびターゲットの地理的位置についての情報を含むステップと、ユーザ装置がターゲットの地理的位置内に位置するかどうかを決定し、ユーザ装置が要求されたコンテンツを所有するかどうかを決定するステップと、ユーザ装置がターゲットの地理的位置内に位置し、要求されたコンテンツを所有する場合、サーバに応答メッセージを送信するステップであって、応答メッセージは、ユーザ装置がサーバによって要求されたコンテンツを所有することを示す情報を含むステップとを含む。オプションとして、応答メッセージは、ユーザ装置が位置する地理的位置のＧＰＳ座標を示す情報をさらに含む。
【００１１】
本発明の他の実施形態によると、マシン・タイプ通信に基づく通信システムのサーバにおいて、地理的位置情報に基づくサービスのための第１のアクセス装置が提供される。装置は、コンテンツ要求メッセージをブロードキャストまたはマルチキャストするためのブロードキャストまたはマルチキャスト・デバイスであって、コンテンツ要求メッセージは、要求されたコンテンツについての情報およびターゲットの地理的位置についての情報を含むブロードキャストまたはマルチキャスト・デバイスと、少なくとも１つのユーザ装置から応答メッセージを受信するための第１の受信デバイスであって、応答メッセージは、少なくとも１つのユーザ装置が要求されたコンテンツを所有することを示し、少なくとも１つのユーザ装置は、ターゲットの地理的位置内にある第１の受信デバイスと、少なくとも１つのユーザ装置から要求されたコンテンツを取得するための取得デバイスとを含む。
【００１２】
本発明の他の実施形態によると、マシン・タイプ通信に基づく通信システムのユーザ装置において、地理的位置情報に基づくサービスのための第２のアクセス装置が提供される。装置は、サーバからコンテンツ要求メッセージを受信するための第２の受信デバイスであって、コンテンツ要求メッセージは、要求されたコンテンツについての情報およびターゲットの地理的位置についての情報を含む第２の受信デバイスと、ユーザ装置がターゲットの地理的位置内に位置するかどうかを決定し、ユーザ装置が要求されたコンテンツを所有するかどうかを決定するための決定デバイスと、ユーザ装置がターゲットの地理的位置内に位置し、要求されたコンテンツを所有する場合、サーバに応答メッセージを送信するための送信デバイスであって、応答メッセージは、ユーザ装置がサーバによって要求されたコンテンツを所有することを示す情報を含む送信デバイスとを含む。
【００１３】
本発明の方法および装置を用いると、マシン・タイプ通信に基づく通信システムは、位置情報に基づくサービスにアクセスするための効果的な解決策が提供されるため、地理的位置情報に基づくマシン・タイプ通信のサービスに適用するマシン・タイプ通信に基づく通信システムの機能を大きく改善することができ、また、本発明の方法および装置は、様々なマシン・タイプ通信に基づく通信システムに適用することができる。
【００１４】
本発明の他の特徴、目的、および利点は、図を参照して、以下に示す限定を目的としない実施形態の詳細な説明からより明白になるであろう。
【図面の簡単な説明】
【００１５】
【図１】本発明の実施形態によるマシン・タイプ通信に基づく通信システム１００を利用するケースを示す図である。
【図２】本発明の実施形態によるマシン・タイプ通信に基づく通信システムのサーバにおいて、地理的位置情報に基づくサービスにアクセスするための方法を示すフローチャートである。
【図３】本発明の実施形態によるマシン・タイプ通信に基づく通信システムのユーザ装置において、地理的位置情報に基づくサービスにアクセスするための方法を示すフローチャートである。
【図４】本発明の実施形態によるマシン・タイプ通信に基づく通信システムの地理的位置情報に基づくサービスにアクセスするための方法を示すフローチャートである。
【図５】本発明の実施形態によるマシン・タイプ通信に基づく通信システムのサーバにおいて、地理的位置情報に基づくサービスのための第１のアクセス装置５００を示す概略図である。
【図６】本発明の実施形態によるマシン・タイプ通信に基づく通信システムのユーザ装置において地理的位置情報に基づくサービスのための第２のアクセス装置６００を示す概略図である。
【発明を実施するための形態】
【００１６】
同一または類似の参照番号は、同一または類似するステップの特徴またはデバイス（モジュール）を示している。
【００１７】
本発明の実施形態について、図に関して以下に詳しく説明する。
【００１８】
図１は、本発明の実施形態によるマシン・タイプ通信に基づく通信システム１００を利用するケースを示す図である。図１に示す利用ケースでは、マシン・タイプ通信に基づく通信システム１００は、サーバ１１０、複数のユーザ装置１２１、１２２、１２３、１２４、１２５、および１２６を含む。一実施形態では、たとえば基地局またはスイッチなど、サーバ１１０と複数のユーザ装置との間でデータおよび信号を転送することを担当する１つまたは複数の他のネットワーク・デバイス（簡潔にするために図１には図示せず）をサーバ１１０と複数のユーザ装置との間にさらに含めることができる。
【００１９】
図２は、本発明の実施形態によるマシン・タイプ通信に基づく通信システムのサーバにおいて地理的位置情報に基づくサービスにアクセスするための方法を示すフローチャートであり、図２に示すフローについて、図１に関して以下に詳細に記述する。
【００２０】
最初にステップＳ２０１において、サーバ１１０は、要求されたコンテンツについての情報およびターゲットの地理的位置についての情報を含むコンテンツ要求メッセージをブロードキャストまたはマルチキャストする。
【００２１】
ターゲットの地理的位置は、１つまたは複数の地理的位置ポイントまたは１つまたは複数の地理的領域でもよく、ターゲットの地理的位置についての対応する情報は、１つまたは複数の地理的位置ポイントのＧＰＳ座標値または１つまたは複数の地理的領域のＧＰＳ座標値でもよいことに注意されたい。サーバ１１０によって要求されるコンテンツは、たとえばビデオのセグメント、オーディオのセグメント、パラメータの測定値、状態値など、様々なコンテンツでもよい。
【００２２】
一般性を失わない例として図１に示す利用ケースを挙げると、サーバ１１０によってブロードキャストされたコンテンツ要求メッセージは、地理的領域１３１に位置するユーザ装置の特定のビデオのコンテンツに対する要求を含む。
【００２３】
一実施形態では、ユーザ装置はそれぞれ、要求メッセージの受信時にコンテンツ要求メッセージに記述されているターゲットの地理的位置内に自身が位置するかどうかを最初に決定する。ユーザ装置は、自身が位置する地理的位置についての情報によりターゲットの地理的位置内に自身が位置するかどうかを決定する。ユーザ装置は、モバイル端末である場合、自身のＧＰＳモジュールによって測定されたＧＰＳ座標により自身がターゲットの地理的位置内に位置するかどうかを決定することができる。ユーザ装置が、固定されたユーザ装置である場合、それらの地理的位置情報は、あらかじめ格納しておくことができる。
【００２４】
図１に示すように、ユーザ装置１２２、１２５、および１２６は地理的領域１３１にないため、ユーザ装置１２２、１２５、および１２６は、コンテンツ要求メッセージの受信時にプロセスを実行しない。ユーザ装置１２１、１２３、および１２４は地理的領域１３１に位置するため、ユーザ装置１２１、１２３、および１２４は、それらがサーバ１１０によって要求されたビデオのコンテンツを所有しているかどうかをさらに決定する。
【００２５】
一般性を失うことなく、ユーザ装置１２１および１２３は、サーバ１１０によって要求されたビデオのコンテンツを所有し、次に、ユーザ装置１２１および１２３は両方、サーバ１１０に応答メッセージを送信する。ユーザ装置１２１によって送信された応答メッセージは、ユーザ装置１２１がサーバ１１０によって要求されたコンテンツを所有することを示す情報を含み、ユーザ装置１２３によって送信された応答メッセージは、ユーザ装置１２３がサーバ１１０によって要求されたコンテンツを所有することを示す情報を含む。
【００２６】
図２を参照すると、ステップＳ２０２において、サーバ１１０は、少なくとも１つのユーザ装置から応答メッセージを受信し、応答メッセージは、少なくとも１つのユーザ装置がサーバ１１０によって要求されたコンテンツを所有することを示し、少なくとも１つのユーザ装置は、ターゲットの地理的位置内に位置する。
【００２７】
最後にステップＳ２０３において、サーバ１１０は、少なくとも１つのユーザ装置から要求されたコンテンツを取得する。具体的には、少なくともユーザ装置とサーバ１１０との間でサーバ１１０によって要求されたコンテンツを伝送する方法が、特定のネットワーク構造および適用されるプロトコルによって決定される。一実施形態では、ユーザ装置がモバイルの端末である場合、ユーザ装置は、サーバとの接続を確立し、それによりサーバ１１０にコンテンツを伝送する。他の実施形態では、サーバ１１０とユーザ装置との間の接続を確立する必要はなく、サーバ１１０は、ユーザ装置に要求メッセージを直接送信し、次に、ユーザ装置は、サーバ１１０によって要求されたコンテンツをサーバ１１０に伝送する。
【００２８】
オプションとして、すでに記述したように、ステップＳ２０２では、サーバ１１０がユーザ装置１２１および１２３から応答メッセージを受信すると、サーバ１１０は、ビデオの要求されたコンテンツを取得するために事前に定めた規則によりユーザ装置１２１および１２３の１つをさらに選択することができる。
【００２９】
事前に定めた規則は、実際的なマシン・タイプ通信に基づく通信システムの変動に応じて変化することに注意されたい。たとえば、ユーザ装置がワイヤレス方式でマシン・タイプ通信に基づく通信システムにアクセスする場合、ユーザ装置の１つは、無線リンクの品質に従って選択することができる。ユーザ装置が有線方式でマシン・タイプ通信に基づく通信システムにアクセスする場合、ユーザ装置の１つは、有線リンクの帯域幅に従って選択することができる。さらに他の例では、タクシーをスケジューリングする利用ケースでは、ユーザ装置はタクシーであり、事前に定めた規則は、テナントに最も近いターゲットの地理的位置内にあるタクシーでもよい。
【００３０】
一部の利用ケースでは、サーバ１１０はユーザ装置を選択する必要はないが、応答メッセージを受信する各ユーザ装置から要求されたコンテンツを取得することにさらに注意されたい。たとえば、リモートからのメータ読み取りの利用ケースでは、ユーザ装置は電流計であり、サーバ１１０は、特定の地理的領域の各電流計の測定値を取得する。
【００３１】
一部の状況では、サーバ１１０によって要求されたコンテンツをサーバ１１０に伝送するときに、伝送を担当する１つまたは複数の選択されたユーザ装置は、ターゲットの地理的位置から移動した可能性があり、サーバ１１０は、１つまたは複数のユーザ装置から通知メッセージを受信し、通知メッセージは、選択された少なくとも１つのユーザ装置がターゲットの地理的位置から移動したことをサーバ１１０に通知する。
【００３２】
一実施形態では、サーバ１１０によって要求されたコンテンツを取得するために、サーバ１１０が、たとえば、ユーザ装置１２１など、少なくとも１つのユーザ装置との接続を確立する場合、サーバ１１０は、ユーザ装置１２１から通知メッセージの受信時にユーザ装置１２１との接続を解放する。
【００３３】
次に、サーバ１１０は、ターゲットの地理的位置内の他のユーザ装置から要求されたコンテンツを取得するために、図２に示すステップＳ２０１からＳ２０３を繰り返す。
【００３４】
接続を解放するステップの順序およびＳ２０１からＳ２０３の繰り返しステップは、サーバ１１０によって要求されるコンテンツの異なる特性に従ってわずかに異なることがある。
【００３５】
一実施形態では、サーバ１１０によって要求されたコンテンツの伝送を中断できない場合、サーバ１１０は、最初にステップＳ２０１からＳ２０３を繰り返し、次に、通知メッセージの受信時にユーザ装置１２１との接続を解放する。コンテンツの伝送を中断できる場合、サーバ１１０は、最初に、接続を解放するステップを実行して、それによって、まずはユーザ装置１２１との接続を解放し、次にステップＳ２０１からＳ２０３を繰り返す。もちろん、この場合は代わりに、サーバ１１０は最初にステップＳ２０１からＳ２０３を繰り返し、次に、ユーザ装置１２１との接続を解放することができる。
【００３６】
オプションとして、図２に示すステップＳ２０１の前に、サーバ１１０は、ネットワーク・デバイスからコンテンツ要求メッセージをさらに受信することができ、コンテンツ要求メッセージは、ターゲットの地理的位置についての情報および要求されたコンテンツについての情報を含む。サーバ１１０は、コンテンツ要求メッセージを受信した後に、ステップＳ２０１からＳ２０３をさらに実行する。次に、ステップＳ２０３で取得したコンテンツをネットワーク・デバイスに送信する。ネットワーク・デバイスは、たとえばユーザ装置または他のサーバなど、サーバ１１０と通信できる任意のデバイスでもよいことに注意されたい。
【００３７】
図２に示すようにステップＳ２０１を一度実行した後に、サーバ１１０が応答メッセージを受信しない場合、ターゲットの地理的位置の範囲を拡大し、図２に示すフローを再び実行できることに注意されたい。
【００３８】
地理的位置情報に基づくサービスにアクセスするための方法のフローについて、サーバ１１０の観点から上に記述した。
【００３９】
図３は、本発明の実施形態によるマシン・タイプ通信に基づく通信システムのユーザ装置において、地理的位置情報に基づくサービスにアクセスするための方法を示すフローチャートであり、図３に示すフローは、ユーザ装置１２１を例として図１に関して以下に詳しく記述する。
【００４０】
最初にステップＳ３０１では、ユーザ装置１２１は、サーバ１１０からコンテンツ要求メッセージを受信し、コンテンツ要求メッセージは、要求されたコンテンツについての情報およびターゲットの地理的位置についての情報を含む。
【００４１】
次にステップＳ３０２では、ユーザ装置１２１は、それがターゲットの地理的位置内に位置するかどうかを決定し、それがサーバ１１０によって要求されたコンテンツを所有しているかどうかを決定する。
【００４２】
最後にステップＳ３０３では、ユーザ装置１２１が、たとえば図１に示す地理的領域１３１など、ターゲットの地理的位置内にあり、サーバ１１０によって要求されたコンテンツを所有する場合、ユーザ装置１２１は、サーバ１１０に応答メッセージを送信し、応答メッセージは、ユーザ装置１２１がサーバ１１０によって要求されたコンテンツを所有することを示す情報を含む。一実施形態では、応答メッセージは、ユーザ装置１２１が位置する地理的位置のＧＰＳ座標を示す情報をさらに含む。この場合、ユーザ装置１２１は、ユーザ装置１２１が位置する地理的位置のＧＰＳ座標を取得するように構成されたＧＰＳモジュールを内蔵している。
【００４３】
サーバ１１０が、要求されたコンテンツを取得するためにユーザ装置１２１を選択する場合、ユーザ装置１２１は、サーバ１１０によって要求されたコンテンツをサーバ１１０に伝送する。具体的には、ユーザ装置１２１とサーバ１１０との間でサーバ１１０によって要求されたコンテンツを伝送する方法が、特定のネットワーク構造および適用されるプロトコルによって決定される。一実施形態では、ユーザ装置１２１がモバイル端末である場合、ユーザ装置１２１は、サーバ１１０との接続を確立し、サーバ１１０にコンテンツを伝送する。
【００４４】
ユーザ装置１２１がモバイル端末である場合、サーバ１１０によって要求されたコンテンツの伝送が終わる前に、ユーザ装置１２１がターゲットの地理的位置から移動している場合があり、ユーザ装置１２１がターゲットの地理的位置から移動したことをサーバ１１０に通知するために、ユーザ装置１２１は通知メッセージをサーバ１１０に送信する。ユーザ装置１２１は、ＧＰＳモジュールによって測定したＧＰＳ座標値をターゲットの地理的位置と比較することによって、ターゲットの地理的位置から移動するかどうかを決定することができる。
【００４５】
ユーザ装置１２１は、サーバ１１０によって要求されるコンテンツの異なる特性に従って異なる時点で通知メッセージを送信することができる。一実施形態では、コンテンツの伝送を中断できない場合は、サーバ１１０が、ターゲットの地理的位置内の他のユーザ装置から適時にコンテンツを取得できるように、ユーザ装置１２１は、ターゲットの地理的位置から移動する前に通知メッセージを送信する必要がある。一実施形態では、コンテンツの伝送を中断できる場合、ユーザ装置１２１は、ターゲットの地理的位置から移動するとき、またはその後に、通知メッセージを送信することができる。もちろん、この場合は代わりに、ユーザ装置１２１は、ターゲットの地理的位置から移動する前に通知メッセージを送信することができる。
【００４６】
マシン・タイプ通信に基づく通信システムのユーザ装置の地理的位置の情報に基づくサービスにアクセスする方法のフローについて、ユーザ装置の観点から上に記述した。
【００４７】
図４は、本発明の実施形態によるマシン・タイプ通信に基づく通信システムの地理的位置情報に基づくサービスにアクセスするための方法のフローチャートを示し、図４に示すフローについて、図１に関して以下に詳細に記述する。
【００４８】
最初にステップＳ４０１では、サーバ１１０は、要求されたコンテンツについての情報およびターゲットの地理的位置についての情報を含むコンテンツ要求メッセージをブロードキャストまたはマルチキャストする。一般性を失うことなく、コンテンツ要求メッセージのターゲットの地理的位置についての情報は、図１に示す地理的領域１３２であり、要求されたコンテンツは、一定期間におけるターゲットの地理的位置内の環境のビデオのコンテンツである。
【００４９】
次に、ステップＳ４０２では、ユーザ装置１２５は、コンテンツ要求メッセージの受信時に、自身がターゲットの地理的位置内に位置するかどうかを決定し、サーバ１１０によって要求されたコンテンツを自身が所有しているかどうかを決定する。ユーザ装置１２５は、モバイル端末である場合、自身のＧＰＳモジュールによって測定されたＧＰＳ座標値により自身がターゲットの地理的位置内に位置するかどうかを決定し、ユーザ装置１２５が固定デバイスである場合、たとえば、自身が位置する地理的位置のＧＰＳ値など、地理的位置情報を事前に取得することができる。
【００５０】
図１に示すように、ユーザ装置１２５は、ターゲットの地理的位置内、つまり地理的領域１３２に位置し、リアルタイムに周囲のビデオをとり格納するためにカメラ・モジュールを備えている。したがって、ステップＳ４０３では、ユーザ装置１２５は、応答メッセージをサーバ１１０に送信し、応答メッセージは、ユーザ装置１２５がサーバ１１０によって要求されたコンテンツを所有することを示す情報を含む。
【００５１】
次に、ステップＳ４０４で、サーバ１１０は、ユーザ装置１２５からの要求されたコンテンツを取得する。
【００５２】
オプションとして、サーバ１１０が周囲のビデオを取得している間、ユーザ装置１２５が地理的領域１３２から移動している場合、ステップＳ４０５では、ユーザ装置１２５がターゲットの地理的位置から移動していることをサーバ１１０に通知するために、ユーザ装置１２５は通知メッセージをサーバ１１０に送信する。
【００５３】
サーバ１１０は、周囲の要求されたビデオを取得するために通知メッセージの受信時にステップＳ４０１からＳ４０４を繰り返す。
【００５４】
図５は、本発明の実施形態によるマシン・タイプ通信に基づく通信システムのサーバにおける地理的位置情報に基づくサービスのための第１のアクセス装置５００を示す概略図である。図５では、第１のアクセス装置５００は、ブロードキャストまたはマルチキャスト・デバイス５０１、第１の受信デバイス５０２、および取得デバイス５０３を含む。
【００５５】
サーバ１１０に位置する第１のアクセス装置５００の運用プロセスについて、図１に関して以下に詳細に記述する。
【００５６】
最初に、ブロードキャストまたはマルチキャスト・デバイス５０１は、要求されたコンテンツについての情報およびターゲットの地理的位置についての情報を含むコンテンツ要求メッセージをブロードキャストまたはマルチキャストする。
【００５７】
ターゲットの地理的位置は、１つまたは複数の地理的位置ポイントまたは１つまたは複数の地理的領域でもよく、ターゲットの地理的位置についての対応する情報は、１つまたは複数の地理的位置ポイントのＧＰＳ座標値または１つまたは複数の地理的領域のＧＰＳ座標値でもよいことに注意されたい。サーバ１１０によって要求されるコンテンツは、たとえばビデオのセグメント、オーディオのセグメント、パラメータの測定値、状態値など、様々な種類のコンテンツでもよい。
【００５８】
一般性を失わない例として図１に示す利用ケースを挙げると、ブロードキャストまたはマルチキャスト・デバイス５０１によってブロードキャストされたコンテンツ要求メッセージは、地理的領域１３１に位置するユーザ装置の特定のビデオのコンテンツに対する要求を含む。
【００５９】
一実施形態では、ユーザ装置はそれぞれ、要求メッセージの受信時にコンテンツ要求メッセージに記述されているターゲットの地理的位置内に位置するかどうかを最初に決定する。ユーザ装置は、それらが位置する地理的位置についての情報によりターゲットの地理的位置内にそれらが位置するかどうかを決定する。ユーザ装置がモバイル端末である場合、ユーザ装置は自身のＧＰＳモジュールによって測定されたＧＰＳ座標によるターゲットの地理的位置内に位置するかどうかを決定することができる。ユーザ装置が固定されたユーザ装置である場合、それらの地理的位置情報はあらかじめ格納しておくことができる。
【００６０】
図１に示すように、ユーザ装置１２２、１２５、および１２６は地理的領域１３１にないため、ユーザ装置１２２、１２５、および１２６は、コンテンツ要求メッセージの受信時にプロセスを実行しない。ユーザ装置１２１、１２３、および１２４は地理的領域１３１に位置するため、ユーザ装置１２１、１２３、および１２４は、それらがサーバ１１０によって要求されたビデオのコンテンツを所有しているかどうかをさらに決定する。
【００６１】
一般性を失うことなく、ユーザ装置１２１および１２３は、サーバ１１０によって要求されたビデオのコンテンツを所有し、次に、ユーザ装置１２１および１２３は両方、サーバ１１０に応答メッセージを送信する。ユーザ装置１２１によって送信された応答メッセージは、ユーザ装置１２１がサーバ１１０によって要求されたコンテンツを所有することを示す情報を含み、ユーザ装置１２３によって送信された応答メッセージは、ユーザ装置１２３がサーバ１１０によって要求されたコンテンツを所有することを示す情報を含む。
【００６２】
第１の受信デバイス５０２は、少なくとも１つのユーザ装置から応答メッセージを受信し、応答メッセージは、少なくとも１つのユーザ装置がサーバ１１０によって要求されたコンテンツを所有することを示し、少なくとも１つのユーザ装置は、ターゲットの地理的位置内に位置する。
【００６３】
最後に、取得デバイス５０３は、少なくとも１つのユーザ装置から要求されたコンテンツを取得する。具体的には、少なくともユーザ装置とサーバ１１０との間でサーバ１１０によって要求されたコンテンツを伝送する方法が、特定のネットワーク構造および適用されるプロトコルによって決定される。一実施形態では、ユーザ装置がモバイルの端末である場合に、ユーザ装置は、取得デバイス５０３との接続を確立し、サーバ１１０にコンテンツを伝送する。
【００６４】
オプションとして、すでに記述したように、第１の受信デバイス５０２はユーザ装置１２１および１２３から応答メッセージを受信し、次に、取得デバイス５０３は、ビデオの要求されたコンテンツを取得するために事前に定めた規則に従ってユーザ装置１２１および１２３の１つをさらに選択することができる。
【００６５】
事前に定めた規則は、実際的なマシン・タイプ通信に基づく通信システムの変動に応じて変化することに注意されたい。たとえば、ユーザ装置が無線方式でマシン・タイプ通信に基づく通信システムにアクセスする場合、ユーザ装置の１つは、無線リンクの品質に従って選択することができる。ユーザ装置が有線方式でマシン・タイプ通信に基づく通信システムにアクセスする場合、ユーザ装置の１つは、有線リンクの帯域幅に従って選択することができる。さらに他の例では、タクシーをスケジューリングする利用ケースでは、ユーザ装置はタクシーであり、事前に定めた規則はテナントに最も近いターゲットの地理的位置内のタクシーでもよい。
【００６６】
一部の利用ケースでは、取得デバイス５０３はユーザ装置を選択する必要はないが、第１の受信デバイス５０２が応答メッセージを受信する各ユーザ装置から要求されたコンテンツを取得することにさらに注意されたい。たとえば、リモートからのメータ読み取りの利用ケースでは、ユーザ装置は電流計であり、サーバ１１０は、特定の地理的領域の各電流計の測定値を取得する。
【００６７】
一部の状況では、サーバ１１０によって要求されたコンテンツをサーバ１１０に伝送するときに、伝送を担当する１つまたは複数の選択されたユーザ装置は、ターゲットの地理的位置から移動した可能性があり、次に、第１の受信デバイス５０２は、１つまたは複数のユーザ装置から通知メッセージを受信し、通知メッセージは、選択された少なくとも１つのユーザ装置がターゲットの地理的位置から移動したことをサーバ１１０に通知する。この場合、第１のアクセス装置５００は、制御デバイス（図５に示さず）を促進する。
【００６８】
一実施形態では、取得デバイス５０３が、サーバ１１０によって要求されたコンテンツを取得するために、たとえばユーザ装置１２１など、少なくとも１つのユーザ装置との接続を確立する場合、第１の受信デバイス５０２がユーザ装置１２１から通知メッセージを受信した後に、取得デバイス５０３は、ユーザ装置１２１との接続を解放する。
【００６９】
次に、制御デバイスは、ターゲットの地理的位置内の他のユーザ装置から要求されたコンテンツを取得するために、ブロードキャストまたはマルチキャストの前述のステップ、応答メッセージを受信するステップ、およびコンテンツを取得するステップをそれぞれ繰り返すために、ブロードキャストまたはマルチキャスト・デバイス５０１、第１の受信デバイス５０２、および取得デバイス５０３を制御する。
【００７０】
取得デバイス５０３が接続を解放するステップ、ならびにブロードキャストまたはマルチキャスト・デバイス５０１、第１の受信デバイス５０２、および取得デバイス５０３が、ブロードキャストまたはマルチキャストの前述のステップ、応答メッセージを受信するステップ、およびコンテンツを取得するステップをそれぞれ繰り返すステップの順序は、サーバ１１０によって要求されたコンテンツの異なる特性に従ってわずかに異なることがある。
【００７１】
一実施形態では、サーバ１１０によって要求されたコンテンツの伝送を中断できない場合、第１の受信デバイス５０２が通知メッセージを受信した後、制御デバイスは、最初に、ブロードキャストまたはマルチキャストの前述のステップ、応答メッセージを受信するステップ、およびコンテンツを取得するステップをそれぞれ繰り返すために、ブロードキャストまたはマルチキャスト・デバイス５０１、第１の受信デバイス５０２、および取得デバイス５０３を制御し、次に、ユーザ装置１２１との接続を解放するために取得デバイス５０３を制御する。コンテンツの伝送を中断できる場合、制御デバイスは、接続を解放するステップを最初に実行するために取得デバイス５０３を制御して、ユーザ装置１２１との接続を最初に解放し、次に、制御デバイスは、ブロードキャストまたはマルチキャスト・デバイス５０１、第１の受信デバイス５０２、および取得デバイス５０３を制御して、ブロードキャストまたはマルチキャストの前述のステップ、応答メッセージを受信するステップ、およびコンテンツを取得するステップをそれぞれ繰り返す。もちろん、この場合は代わりに、制御デバイスは、ブロードキャストまたはマルチキャストの前述のステップ、応答メッセージを受信するステップ、およびコンテンツを取得するステップをそれぞれ繰り返すために、最初にブロードキャストまたはマルチキャスト・デバイス５０１、第１の受信デバイス５０２、および取得デバイス５０３を制御し、次に、ユーザ装置１２１との接続を解放するために取得デバイス５０３を制御することができる。
【００７２】
オプションとして、ブロードキャストまたはマルチキャスト・デバイス５０１がブロードキャストまたはマルチキャストを実行する前に、第１の受信デバイス５０２は、ネットワーク・デバイスからコンテンツ要求メッセージをさらに受信することができ、コンテンツ要求メッセージは、ターゲットの地理的位置についての情報および要求されたコンテンツについての情報を含む。最後に、取得デバイス５０３はネットワーク・デバイスに取得したコンテンツを送信する。ネットワーク・デバイスは、たとえばユーザ装置または他のサーバなど、サーバ１１０と通信できる任意のデバイスでもよいことに注意されたい。
【００７３】
ブロードキャストまたはマルチキャスト・デバイス５０１がコンテンツ要求メッセージをブロードキャストまたはマルチキャストした後に、第１の受信デバイス５０２が応答メッセージを受信しない場合、制御デバイスは、ターゲットの地理的位置の範囲を拡大し、次に、コンテンツ要求メッセージを再びブロードキャストまたはマルチキャストするために、ブロードキャストまたはマルチキャスト・デバイス５０１を制御できることに注意されたい。
【００７４】
図６は、本発明の実施形態によるマシン・タイプ通信に基づく通信システムのユーザ装置において地理的位置情報に基づくサービスのための第２のアクセス装置６００を示す概略図である。図６では、第２の装置６００は、第２の受信デバイス６０１、決定デバイス６０２、および送信デバイス６０３を含む。
【００７５】
ユーザ装置１２１に位置する第２のアクセス装置６００の運用プロセスについて、図１に関して以下に詳細に記述する。
【００７６】
最初に、第２の受信デバイス６０１は、サーバ１１０からコンテンツ要求メッセージを受信し、コンテンツ要求メッセージは、要求されたコンテンツについての情報およびターゲットの地理的位置についての情報を含む。
【００７７】
次に、決定デバイス６０２は、ユーザ装置がターゲットの地理的位置内にあるかどうかを決定し、ユーザ装置がサーバ１１０によって要求されたコンテンツを所有するかどうかを決定する。
【００７８】
最後に、ユーザ装置１２１が、たとえば図１に示す地理的領域１３１など、ターゲットの地理的位置内にあり、サーバ１１０によって要求されたコンテンツを所有する場合、送信デバイス６０３は、応答メッセージをサーバ１１０に送信し、応答メッセージは、ユーザ装置１２１がサーバ１１０によって要求されたコンテンツを所有することを示す情報を含む。一実施形態では、応答メッセージは、ユーザ装置１２１が位置する地理的位置のＧＰＳ座標を示す情報をさらに含む。この場合、ユーザ装置１２１は、ユーザ装置１２１が位置する地理的位置のＧＰＳ座標を取得するように構成されたＧＰＳモジュールを内蔵している。
【００７９】
サーバ１１０が、要求されたコンテンツを取得するためにユーザ装置１２１を選択する場合、オプションとして、ユーザ装置１２１は、サーバ１１０によって要求されたコンテンツをサーバ１１０に伝送するように構成された伝送デバイス（図６に示さず）をさらに内蔵する。具体的には、伝送デバイスとサーバ１１０との間でサーバ１１０によって要求されたコンテンツを伝送する方法が、特定のネットワーク構造および適用されるプロトコルによって決定される。一実施形態では、ユーザ装置１２１がモバイル端末である場合、伝送デバイスは、サーバ１１０との接続を確立し、コンテンツをサーバ１１０に伝送する。
【００８０】
ユーザ装置１２１がモバイル端末である場合、サーバ１１０によって要求されたコンテンツの伝送が終わる前に、それはターゲットの地理的位置から移動している場合があり、ユーザ装置１２１がターゲットの地理的位置から移動したことをサーバ１１０に通知するために、送信デバイス６０３は通知メッセージをサーバ１１０に送信する。ユーザ装置１２１は、ＧＰＳモジュールによって測定したＧＰＳ座標値をターゲットの地理的位置と比較することによって、ターゲットの地理的位置から移動するかどうかを決定することができる。
【００８１】
送信デバイス６０３は、サーバ１１０によって要求されたコンテンツの異なる特性に従って異なる時点で通知メッセージを送信することができる。一実施形態では、コンテンツの伝送を中断できない場合は、サーバ１１０が、ターゲットの地理的位置内の他のユーザ装置から適時にコンテンツを取得できるように、ユーザ装置１２１がターゲットの地理的位置から移動する前に、送信デバイス６０３は通知メッセージを送信する必要がある。一実施形態では、コンテンツの伝送を中断できる場合、送信デバイス６０３は、ユーザ装置１２１がターゲットの地理的位置から移動しているとき、またはユーザ装置１２１が移動した後に、通知メッセージを送信することができる。もちろん、この場合は代わりに、ユーザ装置１２１は、ターゲットの地理的位置から移動する前に通知メッセージを送信することができる。
【００８２】
サーバの運用プロセスおよびマシン・タイプ通信に基づく通信システムのユーザ装置について、機能的な観点から上記に記述したが、サーバは、たとえば基地局もしくワイヤレス・ネットワーク・コントローラ、またはコンピュータなど、サーバの物理的なキャリアの形式は限定されず、たとえば、携帯電話、パーソナル・コンピュータ、車載デバイス、医療機器、路上のカメラなど、ユーザ装置の物理的なキャリアの形式も限定されないことは当業者には自明であろうことに注意されたい。
【００８３】
前述の実施形態は代表的な例を示したにすぎず、本発明を限定するものではなく、どのような技術的解決法も本発明の精神から逸脱することなく、本発明の範囲に含まれるものであることに注意されたい。さらに、請求項の参照番号は、関連する請求項を限定するものと解釈するべきではなく、「含む（ｃｏｍｐｒｉｓｉｎｇ）」という用語は、請求項または説明に記述していない他のデバイス（複数可）またはステップ（複数可）を排除するものではなく、デバイスの前に付けた「１つの（ａ）」または「１つの（ａｎ）」は、そのようなデバイスが複数存在することを排除するものではなく、複数のデバイスを含む装置では、複数のデバイスの１つまたは複数の機能は同じハードウェアまたはソフトウェア・モジュールによって実行することができ、「第１の」、「第２の」、「第３の」などの用語は、単に名前を表すことを意図するものであり、特定の順序を示すものではない。
【図１】
0005642201.tif 000002
【図２】
0005642201.tif 000003
【図３】
0005642201.tif 000004
【図４】
0005642201.tif 000005
【図５】
0005642201.tif 000006
【図６】
0005642201.tif 000007